(57)【特許請求の範囲】
【請求項１】
移動端末装置のチャネル品質を測定し、前記移動端末装置に対して他の移動端末装置から受ける干渉により低減するチャネル品質低減値を算出し、前記他の移動端末装置から所定の移動端末装置を選択するチャネル品質情報制御部と、
前記移動端末装置の前記チャネル品質情報、選択した前記所定の移動端末装置情報及び前記チャネル品質低減値を、無線基地局装置に送信する送信部と、を有することを特徴とする無線中継局装置。
【請求項２】
前記チャネル品質情報制御部は、前記所定の移動端末装置として、前記移動端末装置に対して最も干渉の影響が小さい最少干渉移動端末装置を選択することを特徴とする請求項１に記載の無線中継局装置。
【請求項３】
前記チャネル品質情報制御部は、前記所定の移動端末装置として、前記移動端末装置に対して最も干渉の影響が大きい最大干渉移動端末装置を選択することを特徴とする請求項１に記載の無線中継局装置。
【請求項４】
前記チャネル品質情報制御部は、前記所定の移動端末装置として、前記移動端末装置に対して最も干渉の影響が小さい最少干渉移動端末装置と、前記移動端末装置に対して最も干渉の影響が大きい最大干渉移動端末装置とを選択することを特徴とする請求項１に記載の無線中継局装置。
【請求項５】
前記チャネル品質情報制御部は、前記移動端末装置のチャネル品質測定を特定のビームフォーミングパターン形状で行う場合に、前記ビームフォーミングパターン形状を適用した際の前記所定の移動端末装置から受ける干渉に基づいて、前記チャネル品質低減値を算出することを特徴とする請求項１から請求項４のいずれかに記載の無線中継局装置。
【請求項６】
前記チャネル品質情報制御部は、前記チャネル品質低減値の算出する際に、前記移動端末装置に干渉する前記所定の移動端末装置として、一つの移動端末装置を選択することを特徴とする請求項１から請求項５のいずれかに記載の無線中継局装置。
【請求項７】
前記チャネル品質情報制御部は、前記チャネル品質低減値の算出する際に、前記移動端末装置に干渉する前記所定の移動端末装置として、複数の移動端末装置を選択することを特徴とする請求項１から請求項５のいずれかに記載の無線中継局装置。
【請求項８】
複数の移動端末装置のチャネル品質をそれぞれ測定し、各移動端末装置について、他の移動端末装置から受ける干渉を考慮した無線基地局側チャネル品質情報を生成するチャネル品質情報生成部と、
無線中継局装置から受信したフィードバック情報信号を復調するフィードバック情報信号復調部と、
前記無線基地局側チャネル品質情報及び前記フィードバック情報信号に基づいて、ダイレクトリンクを介して通信を行う移動端末装置と、リレーリンクを介して通信を行う移動端末装置を選択すると共に、スケジューリング情報を生成するスケジューラと、
前記スケジューリング情報を前記無線中継局装置に送信する送信部と、を有し、
前記フィードバック情報信号は、前記無線中継局装置における複数の移動端末装置のチャネル品質と、当該複数の移動端末装置の各々について所定の移動端末装置から受ける干渉により低減するチャネル品質低減値と、前記所定の移動端末装置情報を含む情報であることを特徴とする無線基地局装置。
【請求項９】
前記スケジューラは、前記所定の移動端末装置が最も干渉の影響を小さくする最少干渉移動端末装置である場合に、前記複数の移動端末装置のいずれかの最少干渉移動端末装置を前記ダイレクトリンクを介して通信を行う移動端末装置に設定することを特徴とする請求項８に記載の無線基地局装置。
【請求項１０】
前記スケジューラは、前記所定の移動端末装置が最も干渉の影響を大きくする最大干渉移動端末装置である場合に、前記複数の移動端末装置の最大干渉移動端末装置以外の移動端末装置を前記ダイレクトリンクを介して通信を行う移動端末装置に設定することを特徴とする請求項９に記載の無線基地局装置。
【請求項１１】
無線中継局装置において、複数の移動端末装置のチャネル品質をそれぞれ測定し、各移動端末装置について、他の移動端末装置から受ける干渉により低減するチャネル品質低減値を算出し、前記他の移動端末装置から所定の移動端末装置を選択するステップと、
前記移動端末装置の前記チャネル品質情報、選択した前記所定の移動端末装置情報及び前記チャネル品質低減値を有するフィードバック信号情報を無線基地局装置に送信するステップと、
無線基地局装置において、複数の移動端末装置のチャネル品質をそれぞれ測定し、各移動端末装置について、他の移動端末装置から受ける干渉を考慮した無線基地局側チャネル品質情報を生成するステップと、
前記無線基地局装置が、前記フィードバック信号情報及び前記無線基地局側チャネル品質情報に基づいて、ダイレクトリンクを介して通信を行う移動端末装置と、リレーリンクを介して通信を行う移動端末装置を選択すると共に、スケジューリング情報を生成するステップと、
前記スケジューリング情報を前記無線中継局装置に通知するステップと、を有することを特徴とする無線通信方法。
【発明の詳細な説明】
【技術分野】
【０００１】
本発明は、リレー伝送するための無線中継局装置、無線基地局装置及び無線通信方法に関する。
【背景技術】
【０００２】
３ＧＰＰ（3rd  Generation  Partnership  Project）において、第３世代移動通信システムの発展規格であるＬＴＥ（Long  Term  Evolution）からのさらなる高速・大容量通信を実現する第４世代移動通信システムとして、ＬＴＥ−Ａｄｖａｎｃｅｄ（ＬＴＥ−Ａ）の標準化が進められている。ＬＴＥ−Ａは、高速・大容量通信の実現に加え、セル端ユーザのスループット向上を重要課題としており、その一手段として、無線基地局装置〜移動端末装置間の無線伝送を中継するリレー技術が検討されている。リレーを用いることで、有線バックホールリンクの確保が困難な場所などで、効率的にカバレッジを拡大できることが期待される。
【０００３】
リレー技術においては、タイプＩリレー（Ｌ３リレー）と、タイプIIリレー（Advanced−Ｌ１リレー、Advanced−Ｌ２リレー）がある。タイプIリレーは、無線中継局装置（リレーノード：ＲＮ）のセルが独自のセルＩＤを有し、自セル用の共通／共有の制御信号を送信するタイプの中継技術である。したがって、リレーノードは、移動端末装置（ユーザ端末：ＵＥ）に対して無線基地局装置のような機能を果たす。また、リレーノードは、固有のスケジューラを備えている。したがって、タイプＩリレーは、無線基地局装置（Donor  eNodeB：ＤｅＮＢ）〜リレーノードＲＮ間の無線バックホールリンクを介してカバレッジの拡大に寄与する。このタイプＩリレーは、ＬＴＥ  Release-10で標準化されている（非特許文献１、２）。
【０００４】
一方、タイプIIリレーは、リレーノードのセルが独自のセルＩＤを有さず、セル固有の参照信号や制御信号を送信しないタイプの中継技術である。タイプIIリレーにおいては、ＤｅＮＢが自装置のリソースを割り当てると共に、リレーノードのリソースを割り当てる（スケジューリングする）。したがって、タイプIIリレーは、ユーザスループットを向上させてキャパシティの増大に寄与する。このタイプIIリレーは、ＬＴＥ  Release-11以降で標準化される予定である。なお、Ｌ１リレーは、ブースター、若しくはリピータとも呼ばれる中継技術であり、無線基地局装置ＤｅＮＢからの下り受信ＲＦ信号を電力増幅して移動端末ＵＥに送信するＡＦ（Amplifier  and  Forward）型中継技術である。また、Ｌ２リレーは、無線基地局装置ＤｅＮＢからの下り受信ＲＦ信号を復調・復号後、再度符号化・変調を行い、移動端末ＵＥに送信するＤＦ（Decode  and  Forward）型中継技術である。
【先行技術文献】
【非特許文献】
【０００５】
【非特許文献１】３ＧＰＰ，ＴＳ３６．２１６（V１０．０．０）
【非特許文献２】３ＧＰＰ，ＴＲ３６．８０６（V９．０．０）
【発明の概要】
【発明が解決しようとする課題】
【０００６】
タイプIIリレーは、無線基地局装置ＤｅＮＢとリレーノードＲＮとの間で同じ周波数を使用するので、タイプIリレーに比べて相対的に容易に干渉のコントロールが可能である。したがって、タイプIIリレーにおいては、無線基地局装置ＤｅＮＢとリレーノードＲＮとの間の協調により、さらにユーザスループットを向上させてキャパシティの増大させることが望まれている。
【０００７】
本発明はかかる点に鑑みてなされたものであり、タイプIIリレーにおいて、ユーザスループットを向上させてキャパシティを増大させることができる無線中継局装置、無線基地局装置及び無線通信方法を提供することを目的とする。
【課題を解決するための手段】
【０００８】
本発明の無線中継局装置は、移動端末装置のチャネル品質を測定し、前記移動端末装置に対して他の移動端末装置から受ける干渉により低減するチャネル品質低減値を算出し、前記他の移動端末装置から所定の移動端末装置を選択するチャネル品質情報制御部と、前記移動端末装置の前記チャネル品質情報、選択した前記所定の移動端末装置情報及び前記チャネル品質低減値を、無線基地局装置に送信する送信部と、を有することを特徴とする。
【０００９】
本発明の無線基地局装置は、複数の移動端末装置のチャネル品質をそれぞれ測定し、各移動端末装置について、他の移動端末装置から受ける干渉を考慮した無線基地局側チャネル品質情報を生成するチャネル品質情報生成部と、無線中継局装置から受信したフィードバック情報信号を復調するフィードバック情報信号復調部と、前記無線基地局側チャネル品質情報及び前記フィードバック情報信号に基づいて、ダイレクトリンクを介して通信を行う移動端末装置と、リレーリンクを介して通信を行う移動端末装置を選択すると共に、スケジューリング情報を生成するスケジューラと、前記スケジューリング情報を前記無線中継局装置に送信する送信部と、を有し、前記フィードバック情報信号は、前記無線中継局装置における複数の移動端末装置のチャネル品質と、当該複数の移動端末装置の各々について所定の移動端末装置から受ける干渉により低減するチャネル品質低減値と、前記所定の移動端末装置情報を含む情報であることを特徴とする。
【００１０】
本発明の無線通信方法は、無線中継局装置において、複数の移動端末装置のチャネル品質をそれぞれ測定し、各移動端末装置について、他の移動端末装置から受ける干渉により低減するチャネル品質低減値を算出し、前記他の移動端末装置から所定の移動端末装置を選択するステップと、前記移動端末装置の前記チャネル品質情報、選択した前記所定の移動端末装置情報及び前記チャネル品質低減値を有するフィードバック信号情報を無線基地局装置に送信するステップと、無線基地局装置において、複数の移動端末装置のチャネル品質をそれぞれ測定し、各移動端末装置について、他の移動端末装置から受ける干渉を考慮した無線基地局側チャネル品質情報を生成するステップと、前記無線基地局装置が、前記フィードバック信号情報及び前記無線基地局側チャネル品質情報に基づいて、ダイレクトリンクを介して通信を行う移動端末装置と、リレーリンクを介して通信を行う移動端末装置を選択すると共に、スケジューリング情報を生成するステップと、前記スケジューリング情報を前記無線中継局装置に通知するステップと、を有することを特徴とする。
【発明の効果】
【００１１】
本発明によれば、ダイレクトリンクを介して通信を行う移動端末装置と、リレーリンクを介して通信を行う移動端末装置間の干渉の影響を適切に制御することができる。これにより、ユーザスループットを向上させ、キャパシティを増大させることができる。
【図面の簡単な説明】
【００１２】
【図１】上りリンクＣｏＭＰ受信を説明するための図である。
【図２】タイプIIリレーを用いた無線通信システムを説明するための図である。
【図３】タイプIIリレーを用いた無線通信を説明するための図である。
【図４】チャネル品質情報の補正値の算出方法を説明するための図である。
【図５】タイプIIリレーを用いた無線通信を説明するための図である。
【図６】タイプIIリレーを用いた無線通信を説明するための図である。
【図７】無線中継局装置が複数のアンテナを有する場合のビームフォーミングの形成方向を説明するための図である。
【図８】無線中継局装置が複数のアンテナを有する場合に移動端末装置のＣＱＩの測定方法を説明するための図である。
【図９】無線中継局装置が複数のアンテナを有する場合に移動端末装置のＣＱＩの測定方法を説明するための図である。
【図１０】無線中継局装置が複数のアンテナを有する場合に移動端末装置のＣＱＩの測定方法を説明するための図である。
【図１１】タイプIIリレーを用いた無線通信を説明するための図である。
【図１２】タイプIIリレーを用いた無線通信を説明するための図である。
【図１３】タイプIIリレーを用いた無線通信を説明するための図である。
【図１４】無線中継局装置の概略構成を示すブロック図である。
【図１５】無線基地局装置の概略構成を示すブロック図である。
【発明を実施するための形態】
【００１３】
以下、本発明の実施の形態について添付図面を参照して詳細に説明する。以下、図中におけるＤｅＮＢは無線基地局装置を示し、ＲＮは無線中継局装置を示し、ＵＥは移動端末装置を指す。
【００１４】
タイプIIリレーにおいて、ユーザスループットを向上させてキャパシティを増大させるためには、無線基地局装置ＤｅＮＢと無線中継局装置ＲＮとの間の協調が重要となる。本発明者らは、無線基地局装置ＤｅＮＢと無線中継局装置ＲＮとの間の協調を考える上で、ＣｏＭＰ（Coordinated  multi-point  transmission  and  reception）に着目した。
【００１５】
図１は、上りリンクＣｏＭＰ受信を説明するための図である。図１においては、リモート基地局（Remote  Radio  Equipment）構成を示している。ＲＲＥ構成では、複数のＲＲＥのベースバンド信号処理及び制御を行う集中ｅＮＢと、各セル、すなわちＲＲＥとの間が光ファイバ（有線バックホールリンク）で接続される。集中ｅＮＢは、集中管理スケジューラを備えており、無線リソース制御を一括して行う。
【００１６】
このような構成において、すべてのＵＥのチャネル状態情報（ＣＳＩ：Channel  State  Information）及びチャネル品質（ＣＱＩ：Channel  Quality  Indicator）が有線バックホールリンクを介して集中ｅＮＢに送信される。集中ｅＮＢでは、これらのＣＳＩやＣＱＩを用いて無線リソース制御を行って、セル端のＵＥ（ＣｏＭＰ  ＵＥ）からの信号の上りＣｏＭＰ受信を実現する。このように、上りＣｏＭＰにおいては、有線バックホールリンクを用いて、種々の情報を送受信しながら集中ｅＮＢとＲＲＥが協調する。
【００１７】
図２は、タイプIIリレーを用いた無線通信システムを説明するための図である。図２に示す無線通信システムでは、無線基地局装置ＤｅＮＢが形成するセル内に、無線中継局装置ＲＮ１及びＲＮ２が設けられる。無線中継局装置ＲＮ１及びＲＮ２は、それぞれ、無線バックホールリンク（破線）を介して、自局に接続する移動端末装置ＲＵＥ（Relay  UE）（以下、リレー端末ＲＵＥという）のＣＳＩやＣＱＩを無線基地局装置ＤｅＮＢに送信する。無線中継局装置ＲＮ１及びＲＮ２は、無線基地局装置ＤｅＮＢから、リレー端末ＲＵＥに対する信号を受信する。また、無線中継局装置ＲＮ１及びＲＮ２は、それぞれリレーリンクを介して、リレー端末ＲＵＥに対して信号を送受信する。また、無線基地局装置ＤｅＮＢは、ダイレクトリンクを介して自局に接続する移動端末ＤＵＥ（Donor  User  Equipment）（以下、ドナー端末ＤＵＥ）に対して信号を送受信する。
【００１８】
図２に示す無線通信システムにおいても、無線基地局装置ＤｅＮＢが集中管理スケジューラを備えており、無線基地局装置ＤｅＮＢ並びに無線中継局装置ＲＮ１及びＲＮ２の無線リソース制御を一括して行う。このように、図２に示す無線通信システムにおいても、無線基地局装置ＤｅＮＢと無線中継局装置ＲＮとの間で協調することが可能である。しかしながら、この無線通信システムにおいては、ドナー端末ＤＵＥと無線基地局装置ＤｅＮＢとの間のダイレクトリンクでの送受信と、リレー端末ＲＵＥと無線基地局装置ＤｅＮＢとの間の送受信とでは無線リソースを使う量が異なる。すなわち、リレー端末ＲＵＥと無線基地局装置ＤｅＮＢとの間の送受信では、無線リソースとして、リレー端末ＲＵＥと無線中継局装置ＲＮとの間のリレーリンクと、無線中継局装置ＲＮと無線基地局装置ＤｅＮＢとの間のバックホールリンクとを使うこととなり、ドナー端末ＤＵＥと無線基地局装置ＤｅＮＢとの間のダイレクトリンクのみの無線リソースを使うドナー端末ＤＵＥと無線基地局装置ＤｅＮＢとの間の送受信よりも、より多くの無線リソースを使うことになる。
【００１９】
したがって、効率良く干渉をコントロールすることにより、ユーザスループット向上やキャパシティ増大を実現するためには、リレーリンクを使う通信とダイレクトリンクを使う通信とで、無線リソースの使用量を考慮して、無線基地局装置ＤｅＮＢと無線中継局装置ＲＮとの間の協調を考える必要がある。この点で、無線基地局装置ＤｅＮＢと無線中継局装置ＲＮとの間の協調は、有線バックホールリンクを用いて集中ｅＮＢとＲＲＨが協調する上りＣｏＭＰと異なる。なお、無線リソースとは、無線通信する際の資源をいい、時間、周波数、空間、コードなどを含む。
【００２０】
ところで、タイプIIリレーを用いた無線通信システムにおいては、無線基地局装置が、ダイレクトリンクを介して通信を行う移動端末装置と、リレーリンクを介して通信を行う移動端末装置を同一のリソースブロックに割り当てる場合が考えられる。この場合、ダイレクトリンクを介して通信を行う移動端末装置と、リレーリンクを介して通信を行う移動端末装置間の干渉を適切に制御する必要がある。
【００２１】
ダイレクトリンクを介して通信する移動端末装置と、リレーリンクを介して通信する移動端末装置の選択は、例えば、無線基地局装置に対する各移動端末装置のチャネル品質（ＣＱＩＤｅＮＢ）情報と、無線中継局装置に対する各移動端末装置のチャネル品質（ＣＱＩＲＮ）情報に基づいて決定する。
【００２２】
具体的には、まず、無線基地局装置が、セル内の移動端末装置（例えば、ＵＥ＃１〜ＵＥ＃３）のチャネル品質（ＣＱＩＤｅＮＢ）を測定する。同様に、無線中継局装置が、セル内の移動端末装置（例えば、ＵＥ＃１〜ＵＥ＃３）のチャネル品質（ＣＱＩＲＮ）を測定する。各移動端末装置のチャネル品質（ＣＱＩ）は、移動端末装置から送信される参照信号（ＳＲＳ：Sounding  Reference  Signal）に基づいて測定することができる。
【００２３】
次に、無線中継局装置は、バックホールリンクを介して、各移動端末装置のチャネル品質（ＣＱＩＲＮ）情報を無線基地局装置に通知する（図３参照）。無線基地局装置は、受信した無線中継局側のチャネル品質（ＣＱＩＲＮ）情報と、無線基地局側のチャネル品質（ＣＱＩＤｅＮＢ）情報に基づいて、ダイレクトリンクで通信する移動端末装置と、リレーリンクで通信する移動端末装置を選択する。例えば、無線基地局装置は、無線基地局側のチャネル品質（ＣＱＩＤｅＮＢ）の値が最も高い移動端末装置と、無線中継局側のチャネル品質（ＣＱＩＲＮ）の値が最も高い移動端末装置を選択する方法が考えられる。
【００２４】
しかし、上記チャネル品質情報は、リレーリンクを介して通信を行う移動端末装置とダイレクトリンクを介して通信を行う移動端末装置間の干渉の影響が考慮されておらず、実際にこれらの移動端末装置を同一のリソースブロックに割り当てた場合に干渉の影響が大きくなるおそれがある。
【００２５】
したがって、無線基地局装置は、ダイレクトリンクを介して通信を行う移動端末装置と、リレーリンクを介して通信を行う移動端末装置を選択する際に、選択する移動端末装置間の干渉の影響を考慮する必要がある。具体的には、他の移動端末装置からの干渉の影響を考慮したチャネル品質の補正値を算出し、当該チャネル品質の補正値情報に基づいて、無線リソースを割り当てる移動端末装置を選択する。
【００２６】
例えば、図４に示すように、無線中継局装置に対するチャネル品質（ＣＱＩＲＮ１）が１０ｄＢであるＵＥ＃１と、チャネル品質（ＣＱＩＲＮ２）が３ｄＢであるＵＥ＃２を想定した場合、ＵＥ＃２からの干渉を考慮したＵＥ＃１のチャネル品質の補正値は、以下の式（１）で求めることができる。
【００２７】
f(x,y)=x−10log10(10y/10+1)  ・・・（１）
【００２８】
図４の場合、各ＵＥのチャネル品質情報と上記式（１）を適用すると、ＵＥ＃２の干渉の影響を考慮したＵＥ＃１のチャネル品質の補正値は、５．２ｄＢとなる。算出したチャネル品質の補正値は、スケジューリングや適応変調チャネル符号化（ＡＭＣ：Adaptive  Modulation  and  Coding）に適用できる。
【００２９】
このように、各移動端末装置のチャネル品質情報と上記式（１）を用いて、各移動端末装置について他の移動端末装置からの干渉の影響を考慮したチャネル品質の補正値を求め、当該チャネル品質の補正値に基づいて、ダイレクトリンクを介して通信を行う移動端末装置とリレーリンクを介して通信を行う移動端末装置の組み合わせを決定することが好ましい。
【００３０】
無線基地局側のチャネル品質（ＣＱＩＤｅＮＢ）の補正値は、無線基地局側のチャネル品質（ＣＱＩＤｅＮＢ）情報に基づいて、無線基地局装置が算出する。また、無線中継局側のチャネル品質（ＣＱＩＲＮ）の補正値についても、無線中継局装置から送信された無線中継局側のチャネル品質（ＣＱＩＲＮ）情報に基づいて、無線基地局装置が算出することができる。
【００３１】
以下に、同一セル内に無線基地局装置（ＤｅＮＢ）、無線中継局装置（ＲＮ）、移動端末装置（ＵＥ＃１〜ＵＥ＃３）がある場合に、チャネル品質の補正値に基づいて、無線リソースを割り当てる移動端末装置の選択方法について説明する。
【００３２】
まず、無線中継局装置、無線基地局装置において、各移動端末装置のチャネル品質の測定を行う（図５参照）。ここでは、一例として、無線中継局装置に対し、ＵＥ＃１のＣＱＩＲＮが９、ＵＥ＃２のＣＱＩＲＮが３、ＵＥ＃３のＣＱＩＲＮが１７である場合を示している。また、無線基地局装置に対し、ＵＥ＃１のＣＱＩＤｅＮＢが７、ＵＥ＃２のＣＱＩＤｅＮＢが１５、ＵＥ＃３のＣＱＩＤｅＮＢが５である場合を示している。
【００３３】
次に、無線中継局装置は、バックホールリンクを介して、各移動端末装置のチャネル品質（ＣＱＩＲＮ）情報を無線基地局装置に通知する。無線基地局装置は、各移動端末装置について、得られたチャネル品質情報と上記式（１）を用いて、無線中継局側のチャネル品質（ＣＱＩＲＮ）と、無線基地局側のチャネル品質（ＣＱＩＤｅＮＢ）の補正値をそれぞれ算出する。図６では、無線基地局側のチャネル品質（ＣＱＩＤｅＮＢ）情報において、ＵＥ＃３の干渉を考慮した場合のＵＥ＃２のチャネル品質の補正値を算出する場合を示している。また、無線中継局側のチャネル品質（ＣＱＩＲＮ）情報において、ＵＥ＃２の干渉を考慮した場合のＵＥ＃３のチャネル品質の補正値を算出する場合を示している。
【００３４】
無線基地局装置は、各移動端末装置について他の移動端末装置との全ての組み合わせについてチャネル品質の補正値を算出する。その後、算出したチャネル品質の補正値に基づいて、無線基地局装置は、リレーリンクを介して通信を行う移動端末装置と、ダイレクトリンクを介して通信を行う移動端末装置の最適な組み合わせを選択する。
【００３５】
このように、あらかじめ移動端末装置間の干渉の影響を考慮して、リレーリンクを介して通信を行う移動端末装置と、ダイレクトリンクを介して通信を行う移動端末装置を選択することにより、移動端末装置間の干渉を効果的に低減することが可能となる。また、無線基地局装置が移動端末装置間の干渉の影響を適切に見積もって最適な移動端末装置を選択することにより、ユーザスループットを向上させ、キャパシティを増大させることができる。
【００３６】
なお、干渉の影響を考慮する他の移動端末装置の数は、同一のリソースブロックに割り当てる移動端末装置の数に応じて決定すればよい。例えば、リレーリンクとダイレクトリンクを介してそれぞれ一つの移動端末装置が通信を行う場合には、各移動端末装置に対して他の一つの移動端末装置からの干渉の影響を考慮して、チャネル品質の補正値を算出すればよい。また、同一のリソースブロックに配置する移動端末装置の数が３つ以上である場合には、配置する移動端末装置の数に応じて他の移動端末装置からの干渉の影響を考慮して、チャネル品質の補正値を算出する。
【００３７】
次に、無線中継局装置及び／又は無線基地局装置が複数のアンテナを有する場合について説明する。
【００３８】
無線中継局装置が複数のアンテナを有する場合には、無線中継局装置が移動端末装置との通信を行う際に、効率的に受信できる方向に向けてビームフォーミングパターンを形成する（図７参照）。この場合、上述したチャネル品質の補正値の算出において、ビームフォーミングパターンを考慮することが好ましい。
【００３９】
以下に、無線中継局装置が複数のアンテナを有する場合に、他の移動端末装置からの干渉を考慮して算出されたチャネル品質の補正値に基づいて、リレーリンクを介して通信を行う移動端末装置とダイレクトリンクを介して通信を行う移動端末装置を選択する方法について説明する。なお、以下の説明では、説明の簡略化のために、ビームフォーミングパターンの方向を特定の方向に規定（ＲＢＩ：Receive  Beam  Index、ｆ０〜ｆ７）した場合を示しているが、ビームフォーミングパターンの形成方向はこれに限られず、移動端末装置の位置等に応じて適宜調整される。
【００４０】
まず、無線中継局装置、無線基地局装置において、上述したように各移動端末装置のチャネル品質の測定を行う。複数のアンテナを有する無線中継局装置は、各移動端末装置に対して効率的に受信できる方向に向けてビームフォーミングパターンを形成して、チャネル品質を測定する（図８〜図１０参照）。
【００４１】
図８では、無線中継局装置が、移動端末装置（ＵＥ＃１）に対して所定の方向（ｆ５）にビームフォーミングパターンを形成して、ＵＥ＃１のチャネル品質を測定する場合を示している。また、図９では、無線中継局装置が、移動端末装置（ＵＥ＃２）に対して所定の方向（ｆ７）にビームフォーミングパターンを形成し、図１０では、無線中継局装置が、移動端末装置（ＵＥ＃３）に対して所定の方向（ｆ３）にビームフォーミングパターンを形成して、チャネル品質（ＣＱＩＲＮ）を測定する場合を示している。
【００４２】
次に、無線中継局装置は、バックホールリンクを介して、各移動端末装置のチャネル品質（ＣＱＩＲＮ）情報を無線基地局装置に通知する。無線基地局装置は、各移動端末装置について、得られたチャネル品質情報と上記式（１）を用いて、チャネル品質情報の補正値を算出する。
【００４３】
しかし、この場合、無線基地局装置は、無線中継局装置から送信された無線中継局装置側のチャネル品質（ＣＱＩＲＮ）情報に基づいて、無線中継局装置側のチャネル品質（ＣＱＩＲＮ）の補正値を算出することとなる。この場合には、各移動端末装置のチャネル品質（ＣＱＩＲＮ）の補正値が、他の移動端末装置から干渉により実際に受ける影響より高く算出してしまうおそれがある。
【００４４】
例えば、無線基地局装置において、無線中継局装置から送信されたチャネル品質情報に基づいて、ＵＥ＃２の影響を考慮したＵＥ＃３のチャネル品質（ＣＱＩＲＮ）の補正値を算出する場合を図１１に示す。無線基地局装置は、ＵＥ＃３のチャネル（品質ＣＱＩＲＮ）情報（ここでは、２０）と、ＵＥ＃２のチャネル品質（ＣＱＩＲＮ）情報（ここでは、６）と、上記式（１）に基づいてチャネル品質の補正値を求めることとなる。しかし、この場合には、ＵＥ＃２のチャネル品質情報は、無線中継局装置がＵＥ＃３との通信に適用するビームフォーミングパターン方向（ｆ３）と異なる方向（ｆ７）のビームフォーミングパターンを適用した数値となっている。
【００４５】
無線中継局装置がＵＥ＃３と通信を行う場合には、ビームフォーミングパターンの方向をｆ３とするため、図１１に示す場合には、ＵＥ＃２からの干渉の影響を過剰に見積もってＵＥ＃３のチャネル品質の補正値を算出していることとなる。その結果、無線基地局装置は、移動端末装置間の干渉の影響を適切に考慮して無線リソースを割り当てる移動端末装置の組み合わせを選択することが困難となる。
【００４６】
したがって、無線中継局装置が複数のアンテナを具備し、ビームフォーミングパターンを形成する場合には、当該ビームフォーミングパターンの方向を考慮して、各移動端末装置のチャネル品質の補正値を算出することが望ましい。
【００４７】
例えば、ＵＥ＃２の干渉を考慮してＵＥ＃３のチャネル品質の補正値を算出する場合には、ＵＥ＃３のチャネル品質（ＣＱＩＲＮ）の測定に適用するビームフォーミングパターンの方向（ここでは、ｆ３）を適用した場合におけるＵＥ＃２のチャネル品質（ＣＱＩＲＮ）を求める。そして、上記式（１）を用いてＵＥ＃３のチャネル品質の補正値を算出する。
【００４８】
このように、ビームフォーミングパターンの方向を考慮して、チャネル品質の補正値を算出することにより、実際の通信環境に応じて各移動端末装置のチャネル品質の補正値を適切に算出することができる。その結果、無線基地局装置は、リレーリンクを介して通信を行う移動端末装置とダイレクトリンクを介して通信を行う移動端末装置間の干渉を適切に見積もって選択することができ、ユーザスループットを向上させ、キャパシティを増大させることができる。
【００４９】
なお、無線基地局装置が複数のアンテナを有する場合には、上述したように各移動端末装置に適用するビームフォーミングパターンを考慮して、無線基地局装置に対する各移動端末装置のチャネル品質（ＣＱＩＤｅＮＢ）の補正値を算出すればよい。
【００５０】
一方で、無線基地局装置において、ビームフォーミングパターンの方向を考慮してチャネル品質の補正値を算出する場合には、各移動端末装置で適用されるビームフォーミングパターンに対する他の移動端末装置のチャネル品質（ＣＱＩＲＮ）情報を、バックホールリンクを介して無線基地局装置に送信する必要がある。しかし、この場合には、オーバーヘッドが大きくなってしまう問題がある。
【００５１】
そのため、本実施の形態では、無線中継局装置が各移動端末装置のチャネル品質の補正値を算出した後、干渉の影響を受ける他の移動端末装置の中から所定の移動端末装置を選択して、当該所定の移動端末装置から受ける干渉を考慮した情報を無線基地局装置に送信する。
【００５２】
具体的には、無線中継局装置は、移動端末装置のチャネル品質（ＣＱＩＲＮ）を測定し、移動端末装置に対して他の移動端末装置から受ける干渉により低減するチャネル品質低減値（ΔＣＱＩＲＮ）を算出すると共に、移動端末装置に対して干渉する他の移動端末装置の中から所定の移動端末装置を選択する。そして、各移動端末装置のチャネル品質（ＣＱＩＲＮ）、各移動端末装置で選択した所定の移動端末装置情報及びチャネル品質低減値（ΔＣＱＩＲＮ）を無線基地局装置に通知する。
【００５３】
つまり、無線中継局装置は、各移動端末装置について、チャネル品質の補正値又はチャネル品質低減値（ΔＣＱＩＲＮ）に基づいて、干渉の影響を受ける他の移動端末装置の中で所定の移動端末装置を選択し、当該所定の移動端末装置からの干渉の影響を考慮したチャネル品質に関する情報を無線基地局装置に送信する。なお、チャネル品質低減値（ΔＣＱＩＲＮ）は、各移動端末装置のチャネル品質（ＣＱＩＲＮ）とチャネル品質（ＣＱＩＲＮ）の補正値の差分に相当する。チャネル品質低減値（ΔＣＱＩＲＮ）を送信することにより、チャネル品質（ＣＱＩＲＮ）の補正値を送信する場合と比較してビット数を低減することができる。
【００５４】
他の移動端末装置の中から選択する所定の移動端末装置としては、例えば、移動端末装置に対して最も干渉の影響が小さい最少干渉移動端末装置を選択する。この場合、無線中継局装置は、測定したチャネル品質情報に基づいてチャネル品質情報の補正値を算出した後、チャネル品質低減値（ΔＣＱＩＲＮ）を算出し、移動端末装置に対して最も干渉の影響が小さい最少干渉移動端末を選択する。
【００５５】
図１２は、ＵＥ＃１に対する最少干渉移動端末はＵＥ＃３（ΔＣＱＩＲＮ＝−１）であり、ＵＥ＃２に対する最少干渉移動端末はＵＥ＃３（ΔＣＱＩＲＮ＝−２）であり、ＵＥ＃３に対する最少干渉移動端末はＵＥ＃２（ΔＣＱＩＲＮ＝−１）である場合を示している。上述したように、各移動端末装置のチャネル品質（ＣＱＩＲＮ）とチャネル品質（ＣＱＩＲＮ）の補正値との差分がチャネル品質低減値（ΔＣＱＩＲＮ）に相当する。
【００５６】
また、無線中継局装置が複数のアンテナを有する場合には、上述したように、各移動端末装置に対して所定の移動端末装置の干渉を考慮して算出するチャネル品質の補正値は、各移動端末装置のチャネル品質の測定に適用するビームフォーミングパターンの方向を考慮して行う。
【００５７】
無線中継局装置は、バックホールリンクを介して、各移動端末装置のチャネル品質ＣＱＩＲＮ、最少干渉移動端末に関する情報及び当該最少干渉移動端末から受ける干渉により低減するチャネル品質低減値（ΔＣＱＩＲＮ）を無線基地局装置に送信する。
【００５８】
無線基地局装置は、無線中継局装置から受信した情報及び無線基地局装置における各移動端末のチャネル品質情報の補正値に基づいて、ダイレクトリンクを介して通信を行う移動端末装置と、リレーリンクを介して通信を行う移動端末装置を選択する。
【００５９】
例えば、無線基地局装置において、リレーリンクに割り当てられる移動端末装置としてＵＥ＃３が選択される場合には、ダイレクトリンクを介して通信を行う移動端末装置としてＵＥ＃３の最少干渉移動端末となる移動端末装置（ここでは、ＵＥ＃２）を選択することが好ましい。これにより、バックホールリンクを介して無線中継局装置から無線基地局装置に送信する際のオーバーヘッドを低減すると共に、無線基地局装置がリレーリンクとダイレクトリンクを介して通信を行う移動端末装置を適切に選択することができる。
【００６０】
また、無線中継局装置において、複数の移動端末装置の中から選択する所定の移動端末装置としては、移動端末装置に対して最も干渉の影響が小さい最少干渉移動端末装置に限られない。他にも、移動端末装置に対して最も干渉の影響が大きい最大干渉移動端末装置を選択してもよい。この場合、無線中継局装置は、測定したチャネル品質情報に基づいてチャネル品質情報の補正値を算出して、チャネル品質低減値（ΔＣＱＩＲＮ）を算出し、移動端末装置に対して最も干渉の影響が大きい最大干渉移動端末を選択する。
【００６１】
図１３は、ＵＥ＃１に対する最大干渉移動端末はＵＥ＃２（ΔＣＱＩＲＮ＝−３）であり、ＵＥ＃２に対する最大干渉移動端末はＵＥ＃１（ΔＣＱＩＲＮ＝−３）であり、ＵＥ＃３に対する最少干渉移動端末はＵＥ＃１である（ΔＣＱＩＲＮ＝−２）場合を示している。また、無線中継局装置が複数のアンテナを有する場合には、上述したように、各移動端末装置に対して所定の移動端末装置の干渉を考慮して算出するチャネル品質の補正値は、各移動端末装置のチャネル品質の測定に適用するビームフォーミングパターンの方向を考慮して行う。
【００６２】
無線中継局装置は、バックホールリンクを介して、各移動端末装置のチャネル品質ＣＱＩＲＮ、最大干渉移動端末に関する情報及び当該最大干渉移動端末から受ける干渉により低減するチャネル品質低減値（ΔＣＱＩＲＮ）を無線基地局装置に送信する。
【００６３】
無線基地局装置は、無線中継局装置から受信した情報及び無線基地局装置における各移動端末のチャネル品質情報の補正値に基づいて、ダイレクトリンクを介して通信を行う移動端末装置と、リレーリンクを介して通信を行う移動端末装置を選択する。
【００６４】
例えば、無線基地局装置において、リレーリンクに割り当てられる移動端末装置としてＵＥ＃３が選択される場合には、ダイレクトリンクを介して通信を行う移動端末装置としてＵＥ＃３の最大干渉移動端末（ここでは、ＵＥ＃１）以外の移動端末装置（ここでは、ＵＥ＃２）を選択することが好ましい。これにより、バックホールリンクを介して無線中継局装置から無線基地局装置に送信する際のオーバーヘッドを低減すると共に、無線基地局装置が移動端末装置間の干渉を適切に見積もって、ダイレクトリンクを介して通信を行う移動端末装置とリレーリンクを介して通信を行う移動端末装置の組み合わせを選択することができる。
【００６５】
また、各移動端末装置に対して最大干渉移動端末装置を選択し、チャネル品質低減値に基づいて、移動端末装置の選択を行うことにより、無線基地局装置は、移動端末装置の選択において、最低限のチャネル品質を保証することが可能となる。
【００６６】
なお、無線中継局装置において、所定の移動端末装置として最大干渉移動端末を選択する場合には、最大干渉移動端末装置となる移動端末装置情報を送信しない構成としてもよい。これは、無線基地局装置が無線中継局装置から少なくともチャネル品質低減値（ΔＣＱＩＲＮ）を受信することにより、無線基地局装置がいずれの移動端末装置を選択した場合であっても、最低限のチャネル品質は保証することができるためである。
【００６７】
また、上記説明では、各移動端末装置において一つの情報（最少干渉移動端末におけるチャネル品質低減値、又は最大干渉移動端末におけるチャネル品質低減値）を無線基地局装置に送信する場合を示しているが、一つに限られない。例えば、各移動端末装置に対して、最大干渉移動端末装置及び最少干渉移動端末装置をそれぞれ選択し、それぞれのチャネル品質低減値を送信する構成としてもよい。また、最大干渉移動端末装置及び最少干渉移動端末装置以外の移動端末装置を選択してもよい。
【００６８】
なお、干渉の影響を考慮する他の移動端末装置の数は、同一のリソースブロックに割り当てる移動端末装置の数に応じて決定すればよい。例えば、リレーリンクとダイレクトリンクを介してそれぞれ一つの移動端末装置が通信を行う場合には、各移動端末装置に対して他の一つの移動端末装置からの干渉の影響を考慮して、チャネル品質の補正値を算出すればよい。また、同一のリソースブロックに配置する移動端末装置の数が３つ以上である場合には、配置する移動端末装置の数に応じて他の移動端末装置からの干渉の影響を考慮して、チャネル品質の補正値を算出する。
【００６９】
以下、上述した無線中継局装置及び無線基地局装置の構成に関して、添付図面を参照して説明する。
【００７０】
図１４は、本実施の形態に係る無線中継局装置（ＤＦ型リレーノード）ＲＮの構成を示すブロック図である。なお、図１４は、説明のために簡略化したものであり、上りリンクの受信部及び送信（転送）部のみを記載しているが、無線中継局装置が有する構成は備えているものとする。また、無線中継局装置が有するアンテナ等の数も図に示した数に限られない。
【００７１】
図１４に示す、無線中継局装置において、移動端末装置から送出された送信信号は、アンテナ１０１ａ，１０１ｂにより受信され、デュプレクサ（Ｄｕｐｌｅｘｅｒ）１０２ａ，１０２ｂにて送信経路と受信経路とに電気的に分離された後、ＲＦ受信回路１０３ａ，１０３ｂに出力される。そして、ＲＦ受信回路１０３ａ，１０３ｂにて、無線周波数信号からベースバンド信号に変換する周波数変換処理が施された後、ＣＰ除去部１０４ａ，１０４ｂに出力される。なお、アンテナ１０１ａ，１０１ｂ、デュプレクサ１０２ａ，１０２ｂ、ＲＦ受信回路１０３ａ，１０３ｂは、移動端末装置からのＳＲＳ等の情報を受信する受信部を構成する。
【００７２】
ＣＰ除去部１０４ａ，１０４ｂでは、周波数変換処理後の信号からＣＰ（Cyclic  Prefix）が除去され、ＣＰ除去後の信号が高速フーリエ変換部（ＦＦＴ部）１０５ａ，１０５ｂに出力される。ＦＦＴ部１０５ａ，１０５ｂでは、ＣＰ除去後の信号がフーリエ変換され、時系列の信号から周波数領域の信号に変換される。変換後の信号は、ＩＤＦＴ部１０６ａ，１０６ｂに出力される。逆離散フーリエ変換部（ＩＤＦＴ部）１０６ａ，１０６ｂでは、周波数領域の信号に変換された信号が逆離散フーリエ変換され、周波数領域の信号から時系列の信号に変換される。変換後の信号は、チャネル推定部１０８ａ，１０８ｂ及びデータチャネル信号復調部１０７ａ，１０７ｂに出力される。
【００７３】
チャネル推定部１０８ａ，１０８ｂは、ＩＤＦＴ部１０６ａ，１０６ｂから出力された受信信号に含まれる復調用参照信号（DM-RS：Demodulation  Reference  Signal）およびＳＲＳからそれぞれチャネル状態を推定し、ＤＭ−ＲＳで推定したチャネル状態をデータチャネル信号復調部１０７ａ，１０７ｂに通知する。データチャネル信号復調部１０７ａ，１０７ｂにおいては、通知されたチャネル状態に基づいて、データチャネル信号を復調する。復調されたデータチャネル信号は、チャネル復号部１０９ａ，１０９ｂにおいて、チャネル復号されてユーザ信号に再生される。再生されたユーザ信号は、バッファ部１１０に出力され、無線基地局装置ＤｅＮＢからの転送のリクエストがあるまでバッファ部１１０で蓄積される。
【００７４】
チャネル品質情報制御部１１１ａ,１１１ｂは、各移動端末装置から送信された参照信号（ＳＲＳ）に基づいて各移動端末装置のチャネル品質（ＣＱＩ）を測定する。また、得られたチャネル品質情報に基づいて、上述したように、各移動端末装置に対して他の移動端末装置から受ける干渉の影響を考慮したチャネル品質の補正値を算出した後、チャネル品質低減値（ΔＣＱＩＲＮ）を算出する。また、算出した情報に基づいて、移動端末装置に対して干渉を及ぼす他の移動端末装置の中から所定の移動端末装置を選択する。所定の移動端末装置としては、例えば、移動端末装置に対して最も干渉の影響が小さい最少干渉移動端末装置及び／又は移動端末装置に対して最も干渉の影響が大きい最大干渉移動端末装置等を選択することができる。チャネル品質情報制御部１１１ａ,１１１ｂで算出された情報は、フィードバック情報信号生成部１１２に出力される。
【００７５】
フィードバック情報信号生成部１１２は、チャネル品質情報制御部１１１ａ,１１１ｂから送信された情報（各移動端末装置のチャネル品質情報、所定の移動端末装置情報、所定の移動端末装置からの干渉により低減するチャネル品質低減値）を、無線基地局装置にフィードバックするためのフィードバック情報信号を生成する。フィードバック制御信号生成部１１２は、生成したフィードバック情報信号を多重部１１７に出力する。
【００７６】
プリコーディングウエイト生成部１１５は、無線基地局装置ＤｅＮＢから通知される下り制御情報に含まれるリレーノード送信時のＰＭＩ情報を用いてプリコーディングウエイトを生成する。プリコーディングウエイト生成部１１５は、生成したプリコーディングウエイトをプリコーディング部１１６に出力する。
【００７７】
プリコーディング部１１６は、ＰＭＩ情報に対応するプリコーディングウエイトに基づいて、アンテナ１０１ａ，１０１ｂ毎に送信データを位相シフト及び／又は振幅シフトする。プリコーディング部１１６により位相シフト及び／又は振幅シフトされた送信データは、多重部１１７に出力される。プリコーディング部１１６では、プリコーディング前に送信データにバックホールリンク参照信号が多重される。このバックホールリンク参照信号は、無線基地局装置ＤｅＮＢで復調するために用いられる参照信号であり、ＤＭ−ＲＳと同様である。
【００７８】
ここで、送信データは、バッファ部１１０に蓄積されたユーザ信号（転送データ）である。転送データは、チャネル符号化部１１３ａ，１１３ｂによりチャネル符号化された後に、データ変調部１１４ａ，１１４ｂに出力される。データ変調部１１４ａ，１１４ｂでは、チャネル符号化後の転送データがデータ変調される。データ変調部１１４ａ，１１４ｂは、データ変調後の転送データをプリコーディング部１１６に出力する。
【００７９】
多重部１１７は、位相シフト及び／又は振幅シフトされた転送データと、フィードバック情報信号生成部１１２により生成されたフィードバック情報信号および、バックホールリンクのチャネル品質（ＣＱＩ）測定用のサウンディング参照信号（ＳＲＳ）とを合成し、アンテナ１０１ａ，１０１ｂ毎の送信信号を生成する。
【００８０】
多重部１１７で合成された送信信号は、離散フーリエ変換部（ＤＦＴ部）１１８ａ，１１８ｂで離散フーリエ変換して時系列の信号から周波数領域の信号に変換され、変換後の信号が逆高速フーリエ変換部（ＩＦＦＴ部）１１９ａ，１１９ｂに出力される。ＩＦＦＴ部１１９ａ，１１９ｂにおいては、ＤＦＴ後の信号が逆高速フーリエ変換され、周波数領域の信号から時間領域の信号に変換される。変換後の信号は、ＣＰ付加部１２０ａ，１２０ｂに出力される。ＣＰ付加部１２０ａ，１２０ｂにおいては、変換後の信号にＣＰが付加される。ＣＰ付加後の信号は、ＲＦ送信回路１２１ａ，１２１ｂに出力される。
【００８１】
ＲＦ送信回路１２１ａ，１２１ｂにおいて、ＣＰ付加後の信号は、無線周波数帯に変換する周波数変換処理される。その後、周波数変換処理された信号は、デュプレクサ１０２ａ，１０２ｂを介してアンテナ１０１ａ，１０１ｂに出力され、アンテナ１０１ａ，１０１ｂから上りリンクで無線基地局装置ＤｅＮＢに送出される。なお、これらのＲＦ送信回路１２１ａ，１２１ｂ、デュプレクサ１０２ａ，１０２ｂ及びアンテナ１０１ａ，１０１ｂは、リレーリンクのチャネル品質の測定結果を含むフィードバック情報信号を無線基地局装置ＤｅＮＢに送信する送信部を構成する。
【００８２】
図１５は、本実施の形態に係る無線基地局装置ＤｅＮＢの構成を示すブロック図である。なお、図１５は、説明のために簡略化したものであり、無線基地局装置が有する構成は備えているものとする。また、無線基地局装置が有するアンテナ等の数も図に示した数に限られない。
【００８３】
図１５に示す無線基地局装置ＤｅＮＢにおいて、移動端末装置ＵＥ＃１〜ＵＥ＃３から送出された送信信号及びバックホールリンクを介してリレーノードＲＮから送出された送信信号は、アンテナ２０１ａ，２０１ｂにより受信され、デュプレクサ２０２ａ，２０２ｂにて送信経路と受信経路とに電気的に分離された後、ＲＦ受信回路２０３ａ，２０３ｂに出力される。そして、ＲＦ受信回路２０３ａ，２０３ｂにて、無線周波数信号からベースバンド信号に変換する周波数変換処理が施された後、ＣＰ除去部２０４ａ，２０４ｂに出力される。なお、アンテナ２０１ａ，２０１ｂ、デュプレクサ２０２ａ，２０２ｂ、ＲＦ受信回路２０３ａ，２０３ｂは、移動端末装置からのＳＲＳを受信すると共に、リレーノードＲＮからの、リレーリンクのチャネル品質の測定結果を含むフィードバック情報を受信する受信部を構成する。
【００８４】
ＣＰ除去部２０４ａ，２０４ｂでは、周波数変換処理後の信号からＣＰが除去され、ＣＰ除去後の信号がＦＦＴ部２０５ａ，２０５ｂに出力される。ＦＦＴ部２０５ａ，２０５ｂでは、ＣＰ除去後の信号がフーリエ変換され、時系列の信号から周波数領域の信号に変換される。変換後の信号は、ＩＤＦＴ部２０６ａ，２０６ｂに出力される。ＩＤＦＴ部２０６ａ，２０６ｂでは、周波数領域の信号に変換された信号が逆離散フーリエ変換され、周波数領域の信号から時系列の信号に変換される。変換後の信号は、ＣＱＩ測定・チャネル推定部２０８ａ，２０８ｂ及びデータチャネル信号復調部２０７ａ，２０７ｂに出力される。
【００８５】
ＣＱＩ測定・チャネル推定部２０８ａ，２０８ｂは、ＩＤＦＴ部２０６ａ，２０６ｂから出力された受信信号に含まれる復調用参照信号（ＤＭ−ＲＳ）およびチャネル品質測定用の参照信号（ＳＲＳ）からチャネル状態を推定し、このうちＤＭ−ＲＳにて推定したチャネル状態をデータチャネル信号復調部２０７ａ，２０７ｂに通知する。データチャネル信号復調部２０７ａ，２０７ｂにおいては、通知されたチャネル状態に基づいて、データチャネル信号を復調する。復調されたデータチャネル信号は、チャネル復号部２０９ａ，２０９ｂにおいて、チャネル復号されてユーザ信号に再生される。
【００８６】
ＣＱＩ測定・チャネル推定部２０８ａ，２０８ｂは、移動端末装置からのＳＲＳを用いて推定したチャネル状態を用いてチャネル品質（ＣＱＩ）を測定する。すなわち、ＣＱＩ測定・チャネル推定部２０８ａ，２０８ｂにおいては、セル内の各移動端末装置からのＳＲＳを用いてＣＱＩ（ＣＱＩＤｅＮＢ１〜ＣＱＩＤｅＮＢ３）を測定する。これらのＣＱＩの測定結果は、ダイレクトリンクＣＱＩ情報として、無線リソースの割り当ての際に用いられる。なお、ＣＱＩ測定・チャネル推定部２０８ａ，２０８ｂは、同様にしてバックホールリンクのＣＱＩも測定する。
【００８７】
ＣＱＩ測定・チャネル推定部２０８ａ，２０８ｂは、推定したチャネル状態をフィードバック情報信号復調部２１０ａ，２１０ｂ及びＲＮフィードバック情報信号復調部２１２にも通知する。フィードバック情報信号復調部２１０ａ，２１０ｂにおいては、通知されたチャネル状態に基づいて、各移動端末装置からのフィードバック情報信号（各移動端末装置のダイレクトリンクのＰＭＩ情報、ランク情報など）を復調する。フィードバック情報信号復調部２１０ａ，２１０ｂは、復調したフィードバック情報信号をＰＭＩ情報抽出部２１４ａ，２１４ｂに出力する。
【００８８】
ＲＮフィードバック情報信号復調部２１２は、通知されたチャネル状態に基づいて、バックホールリンクを介してリレーノードＲＮから送信されたフィードバック情報信号（無線中継局装置ＲＮで測定したＣＱＩやＰＭＩ、リレータイプの情報）を復調する。復調したＲＮフィードバック情報信号は、リレーリンクＣＱＩ情報として、無線リソースの割り当ての際に用いられる。なお、フィードバック情報信号には、各移動端末装置のチャネル品質情報の他にも、上述した所定の移動端末装置情報、所定の移動端末装置からの干渉により低減するチャネル品質低減値に関する情報が含まれている。
【００８９】
ＰＭＩ情報抽出部２１４ａ，２１４ｂは、復調したフィードバック情報信号からＰＭＩ情報を抽出し、抽出したＰＭＩ情報をプリコーディングウエイト生成部２１５に出力する。プリコーディングウエイト生成部２１５は、フィードバック情報信号から抽出されたＰＭＩ情報を用いてプリコーディングウエイトを生成する。プリコーディングウエイト生成部２１５は、生成したプリコーディングウエイトをプリコーディング部２２０ａ，２２０ｂに出力する。
【００９０】
プリコーディング部２２０ａ，２２０ｂは、ＰＭＩ情報に対応するプリコーディングウエイトに基づいて、アンテナ２０１ａ，２０１ｂ毎に送信データを位相シフト及び／又は振幅シフトする。プリコーディング部２２０ａ，２２０ｂにより位相シフト及び／又は振幅シフトされた送信データは、多重部２２１に出力される。プリコーディング部２２０ａ，２２０ｂでは、プリコーディング前に送信データに個別参照信号が多重される。この個別参照信号は、移動端末装置ＵＥで復調するために用いられるＤＭ−ＲＳである。
【００９１】
ここで、送信データは、各移動端末装置宛ての信号である。送信データは、チャネル符号化部２１８ａ，２１８ｂによりチャネル符号化された後に、データ変調部２１９ａ，２１９ｂに出力される。データ変調部２１９ａ，２１９ｂでは、チャネル符号化後の転送データがデータ変調される。データ変調部２１９ａ，２１９ｂは、データ変調後の転送データをプリコーディング部２２０ａ，２２０ｂに出力する。
【００９２】
スケジューラ２１３は、上記復調したＲＮフィードバック情報信号及びダイレクトリンクのＣＱＩ情報に基づいて、リレーリンクを介して通信を行う移動端末装置とダイレクトリンクを介して通信を行う移動端末装置を選択して無線リソースを割り当てる。例えば、スケジューラは、無線中継局側のチャネル品質（ＣＱＩＲＮ）情報のうち最もチャネル品質の高い移動端末装置をリレーリンクを介して通信を行う移動端末装置に選択して無線リソースを割り当てる。また、リレーリンクを介して通信を行う移動端末装置に選択した移動端末装置に対する所定の移動端末装置に関する情報に基づいて、ダイレクトリンクを介して通信を行う移動端末装置として選択し無線リソースを割り当てる。一例として、図１２において、無線中継局側の各移動端末装置のチャネル品質情報（ＣＱＩＲＮ）から最もチャネル品質の高い移動端末装置ＵＥ＃３（リレーリンク）を選択すると共に、この移動端末装置の最少干渉移動端末装置ＵＥ＃２（ダイレクトリンク）を選択して無線リソースを割り当てる。
【００９３】
ユーザ制御信号生成部２１６ａ，２１６ｂは、各移動端末装置用のＰＤＣＣＨ（Physical  Downlink  Control  Channel）信号を生成する。ここで、ＰＤＣＣＨ信号には、例えば、リソース割り当て情報、ＭＣＳ情報、再送関連の情報（ＲＶ（Redundancy  version）、ＮＤＩ（New  Data  Indicator）、送信電力制御の情報、プリコーディング情報（ＰＭＩ情報）、ランク情報（ＲＩ）などが含まれる。ユーザ制御信号生成部２１６ａ，２１６ｂは、生成したＰＤＣＣＨ信号を多重部２２１に出力する。
【００９４】
ＲＮ制御信号生成部２１７は、リレーノード用のＰＤＣＣＨ信号を生成する。ここで、ＰＤＣＣＨ信号には、例えば、リソース割り当て情報、ＭＣＳ情報、再送関連の情報（ＲＶ（Redundancy  version）、ＮＤＩ）、送信電力制御の情報、プリコーディング情報（ＰＭＩ情報）、ランク情報（ＲＩ）などが含まれる。ＲＮ制御信号生成部２１７は、生成したＰＤＣＣＨ信号を多重部２２１に出力する。
【００９５】
スケジューラ２１３において、無線リソースが割り当てられる移動端末装置が決定されると、その移動端末装置に応じてＭＣＳを決定する。この決定されたＭＣＳは、無線中継局装置ＲＮ又は移動端末装置ＵＥにＰＤＣＣＨで送信される。例えば、無線リソースが割り当てられた移動端末装置がダイレクトリンクの移動端末装置であれば、その移動端末装置に適切なＭＣＳの情報をユーザ用のＰＤＣＣＨ信号として移動端末装置ＵＥに送信する。一方、無線リソースが割り当てられた移動端末装置がリレーリンクの移動端末装置であれば、その移動端末装置に適切なＭＣＳの情報をＲＮ用のＰＤＣＣＨ信号として無線中継局装置ＲＮに送信する。
【００９６】
多重部２２１は、位相シフト及び／又は振幅シフトされた送信データと、ＲＮ制御信号生成部２１７により生成されたＲＮ制御信号と、ユーザ制御信号生成部２１６ａ，２１６ｂにより生成されたユーザ制御信号、およびＵＥにおいて下りリンクのチャネル品質を測定するためのチャネル品質測定用参照信号（ＣＳＩ−ＲＳ）とを合成し、アンテナ２０１ａ，２０１ｂ毎の送信信号を生成する。
【００９７】
多重部２２１で合成された送信信号は、ＩＦＦＴ部２２３ａ，２２３ｂに出力される。ＩＦＦＴ部２２３ａ，２２３ｂにおいては、ＤＦＴ後の信号が逆高速フーリエ変換され、周波数領域の信号から時間領域の信号に変換される。変換後の信号は、ＣＰ付加部２２４ａ，２２４ｂに出力される。ＣＰ付加部２２４ａ，２２４ｂにおいては、変換後の信号にＣＰが付加される。ＣＰ付加後の信号は、ＲＦ送信回路２２５ａ，２２５ｂに出力される。
【００９８】
ＲＦ送信回路２２５ａ，２２５ｂにおいて、ＣＰ付加後の信号は、無線周波数帯に変換する周波数変換処理される。その後、周波数変換処理された信号は、デュプレクサ２０２ａ，２０２ｂを介してアンテナ２０１ａ，２０１ｂに出力され、アンテナ２０１ａ，２０１ｂから下りリンクで無線中継局装置ＲＮ又は移動端末装置ＵＥに送出される。なお、これらのＲＦ送信回路２２５ａ，２２５ｂ、デュプレクサ２０２ａ，２０２ｂ及びアンテナ２０１ａ，２０１ｂは、無線中継局装置ＲＮ又は移動端末装置ＵＥに信号を送信する送信部を構成する。
【００９９】
以上、上述の実施形態を用いて本発明について詳細に説明したが、当業者にとっては、本発明が本明細書中に説明した実施形態に限定されるものではないということは明らかである。例えば、上述の実施形態において、ユーザ数や装置における処理部数については、これに限定されず、装置構成に応じて適宜変更することが可能である。また、本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１００】
１０１ａ，１０１ｂ，２０１ａ，２０１ｂ  アンテナ
１０２ａ，１０２ｂ，２０２ａ，２０２ｂ  デュプレクサ
１０３ａ，１０３ｂ，２０３ａ，２０３ｂ  ＲＦ受信回路
１０４ａ，１０４ｂ，２０４ａ，２０４ｂ  ＣＰ除去部
１０５ａ，１０５ｂ，２０５ａ，２０５ｂ  ＦＦＴ部
１０６ａ，１０６ｂ，２０６ａ，２０６ｂ  ＩＤＦＴ部
１０７ａ，１０７ｂ，２０７ａ，２０７ｂ  データチャネル信号復調部
１０８ａ，１０８ｂ  チャネル推定部
１０９ａ，１０９ｂ，２０９ａ，２０９ｂ  チャネル復号部
１１０  バッファ部
１１１ａ，１１１ｂ  チャネル品質情報制御部
１１２  フィードバック情報信号生成部
１１３ａ，１１３ｂ，２１８ａ，２１８ｂ  チャネル符号化部
１１４ａ，１１４ｂ，２１９ａ，２１９ｂ  データ変調部
１１５，２１５  プリコーディングウエイト生成部
１１６，２２０ａ，２２０ｂ  プリコーディング部
１１７，２２１  多重部
１１８ａ，１１８ｂ  ＤＦＴ部
１１９ａ，１１９ｂ，２２３ａ，２２３ｂ  ＩＦＦＴ部
１２０ａ，１２０ｂ，２２４ａ，２２４ｂ  ＣＰ付加部
１２１ａ，１２１ｂ，２２５ａ，２２５ｂ  ＲＦ送信回路
２０８ａ，２０８ｂ  ＣＱＩ測定・チャネル推定部
２１０ａ，２１０ｂ  フィードバック情報信号復調部
２１２  ＲＮフィードバック情報信号復調部
２１４ａ，２１４ｂ  ＰＭＩ情報抽出部
２１６ａ，２１６ｂ  ユーザ制御信号生成部
２１７  ＲＮ制御信号生成部
【図１】
0005405444.tif 000002
【図２】
0005405444.tif 000003
【図３】
0005405444.tif 000004
【図４】
0005405444.tif 000005
【図５】
0005405444.tif 000006
【図６】
0005405444.tif 000007
【図７】
0005405444.tif 000008
【図８】
0005405444.tif 000009
【図９】
0005405444.tif 000010
【図１０】
0005405444.tif 000011
【図１１】
0005405444.tif 000012
【図１２】
0005405444.tif 000013
【図１３】
0005405444.tif 000014
【図１４】
0005405444.tif 000015
【図１５】
0005405444.tif 000016